(57)【要約】【課題】通信品質を向上させることができる移動通信システム及び方法を提供すること。【解決手段】電波伝搬特性推定部１０５は、移動通信端末位置情報出力部１０３からの位置情報と地図情報データベース部１０４からの地図情報とを用いて、移動通信端末装置１０１と基地局１０２との間における電波伝搬特性の推定情報である電波伝搬特性推定情報を生成する。通信制御部１０６は、電波伝搬特性推定部１０５により生成された電波伝搬特性推定情報に基づいて移動通信端末装置１０１と基地局１０２との間における通信の制御を行う。【選択図】　　　図１
2004015337.tif 000002
【特許請求の範囲】
【請求項１】
移動通信端末装置の位置情報と前記移動通信端末装置と基地局との間の地形に関する地図情報とを用いて前記移動通信端末装置と前記基地局との間における電波伝搬特性の推定情報である電波伝搬特性推定情報を生成する電波伝搬特性推定手段と、前記電波伝搬特性推定手段により生成された前記電波伝搬特性推定情報に基づいて前記移動通信端末装置と前記基地局との間における通信の制御を行う通信制御手段と、を具備することを特徴とする移動通信システム。
【請求項２】
前記電波伝搬特性推定手段は、前記位置情報と前記地図情報を利用して電波伝搬シミュレーションにより前記移動通信端末装置側及び前記基地局側のそれぞれの電波伝搬特性推定情報を得ることを特徴とする請求項１記載の移動通信システム。
【請求項３】
前記移動通信端末装置の前記位置情報は、ＧＰＳを用いた位置情報取得部により取得されることを特徴とする請求項１又は請求項２記載の移動通信システム。
【請求項４】
前記移動通信端末装置の前記位置情報は、３以上の基地局からの位置情報を用いた位置情報取得部により取得されることを特徴とする請求項１又は請求項２記載の移動通信システム。
【請求項５】
前記地図情報は、前記移動通信端末装置と前記基地局との間における地形に関する人工衛星からのステレオ衛星画像データから取得されることを特徴とする請求項１又は請求項２記載の移動通信システム。
【請求項６】
前記地図情報は、前記移動通信端末装置と前記基地局との間における気象情報が付加された地図情報を用いることを特徴とする請求項１又は請求項２記載の移動通信システム。
【請求項７】
前記地図情報は、更新されるステレオ衛星画像データ、気象情報及び地物情報から取得されることを特徴とする請求項１又は請求項２記載の移動通信システム。
【請求項８】
前記通信制御手段は、前記電波伝搬特性推定情報に基づいて前記移動通信端末装置と前記基地局との間における通信手段の回線速度を制御することを特徴とする請求項１から請求項７のいずれかに記載の移動通信システム。
【請求項９】
前記通信制御手段は、前記電波伝搬特性推定情報に基づいて前記移動通信端末装置と前記基地局との間における通信手段の誤り訂正方式を制御することを特徴とする請求項１から請求項７のいずれかに記載の移動通信システム。
【請求項１０】
前記通信制御手段は、前記電波伝搬特性推定情報に基づいて前記移動通信端末装置と前記基地局との間における通信手段の変復調方式を制御することを特徴とする請求項１から請求項７のいずれかに記載の移動通信システム。
【請求項１１】
前記通信制御手段は、前記電波伝搬特性推定情報に基づいて前記移動通信端末装置と前記基地局との間における通信手段の送信電力の制御をすることを特徴とする請求項１から請求項７のいずれかに記載の移動通信システム。
【請求項１２】
前記通信制御手段は、前記電波伝搬特性推定情報に基づいて前記移動通信端末装置と前記基地局との間における通信手段のアレーアンテナの重み付けを制御することを特徴とする請求項１から請求項７のいずれかに記載の移動通信システム。
【請求項１３】
前記通信制御手段は、前記電波伝搬特性推定情報に基づいて前記移動通信端末装置と前記基地局との間における通信手段の遅延プロファイルの作成を制御することを特徴とする請求項１から請求項７のいずれかに記載の移動通信システム。
【請求項１４】
前記通信制御手段は、前記電波伝搬特性推定情報に基づいて前記移動通信端末装置と前記基地局との間における通信手段のレイクフィンガ数を制御することを特徴とする請求項１から請求項７のいずれかに記載の移動通信システム。
【請求項１５】
移動通信端末装置の位置情報と前記移動通信端末装置と基地局との間の地形に関する地図情報とを用いて前記移動通信端末装置と前記基地局との間における電波伝搬特性の推定情報である電波伝搬特性推定情報を生成する電波伝搬特性推定ステップと、前記電波伝搬特性推定ステップにおいて生成された前記電波伝搬特性推定情報に基づいて前記移動通信端末装置と前記基地局との間における通信の制御を行う通信制御ステップと、を具備することを特徴とする移動通信方法。
【発明の詳細な説明】
【０００１】
【発明の属する技術分野】
本発明は、移動通信端末装置と基地局との間で通信を行う移動通信システム及び方法に関する。
【０００２】
【従来の技術】
従来、移動通信システムとしては、特開２０００−３０７５０４号公報に記載されているものがある。図１７は、従来の移動通信システムの構成を示すブロック図である。　図１７に示すように、従来の移動通信システム１７００は、移動通信端末装置１７０１と、この移動通信端末装置１７０１との間でデータの送受を行う基地局１７０２とを具備している。移動通信端末装置１７０１は、移動通信端末位置情報出力部１７０３を備えている。基地局１７０２は、地図情報データベース部１７０４、電波伝搬特性推定部１７０５、電波伝搬特性推定情報データベース部１７０６及びアレーアンテナ制御部１７０７を備えている。
【０００３】
電波伝搬特性推定部１７０５は、地図情報データベース部１７０４から得られる地図情報に基づいて多数の地点における電波伝搬特性推定情報を生成し電波伝搬特性推定情報データベース部１７０６に保存しておく。電波伝搬特性推定情報データベース部１７０６は、移動通信端末位置情報出力部１７０３から得られる移動通信端末装置１７０１の位置情報に基づいて、この位置情報に対応した位置の電波伝搬特性推定情報を取り出し、この電波伝搬特性推定情報をアレーアンテナ制御部１７０７に与える。
【０００４】
アレーアンテナ制御部１７０７は、電波伝搬特性推定情報データベース部１７０６からの電波伝搬特性推定情報に基づいて移動通信端末装置１７０１と基地局１７０２との間における通信手段のアレーアンテナの重み付け係数を制御する。
【０００５】
【発明が解決しようとする課題】
しかしながら、従来の移動通信システムにおいては、通信品質に大きく関わる送受信方式の各要素の制御が行われないため、通信品質が良くないという問題がある。
【０００６】
本発明は、かかる点に鑑みてなされたものであり、通信品質を向上させることができる移動通信システム及び方法を提供することを目的とする。
【０００７】
【課題を解決するための手段】
本発明の移動通信システムは、移動通信端末装置の位置情報と前記移動通信端末装置と基地局との間の地形に関する地図情報とを用いて前記移動通信端末装置と前記基地局との間における電波伝搬特性の推定情報である電波伝搬特性推定情報を生成する電波伝搬特性推定手段と、前記電波伝搬特性推定手段により生成された前記電波伝搬特性推定情報に基づいて前記移動通信端末装置と前記基地局との間における通信の制御を行う通信制御手段と、を具備する構成を採る。
【０００８】
この構成によれば、移動通信端末装置の位置情報と地図情報を用いて高精度な電波伝搬特性の推定を行って電波伝搬特性推定情報を生成し、この電波伝搬特性推定情報に基づいて通信の制御を行うため、通信品質に大きく関わる送受信方式の各要素の制御を行うことができるから、誤り率特性を改善して通信品質を向上させることができる。
【０００９】
本発明の移動通信システムは、前記構成において、前記電波伝搬特性推定手段が、前記位置情報と前記地図情報を利用して電波伝搬シミュレーションにより前記移動通信端末装置側及び前記基地局側のそれぞれの電波伝搬特性推定情報を得る構成を採る。
【００１０】
この構成によれば、移動通信端末装置の位置情報と地図情報を用いて高精度な電波伝搬特性の推定を行って電波伝搬特性推定情報を生成し、この電波伝搬特性推定情報に基づいて通信の制御を行うため、通信品質に大きく関わる送受信方式の各要素の制御を行うことができるから、誤り率特性を改善して通信品質を向上させることができる。
【００１１】
本発明の移動通信システムは、前記構成において、前記移動通信端末装置の前記位置情報が、ＧＰＳを用いた位置情報取得部により取得される構成を採る。
【００１２】
この構成によれば、前記効果に加えて、移動通信端末装置の正確な位置情報を取得することができる。
【００１３】
本発明の移動通信システムは、前記構成において、前記移動通信端末装置の前記位置情報が、３以上の基地局からの位置情報を用いた位置情報取得部により取得される構成を採る。
【００１４】
この構成によれば、前記効果に加えて、移動通信端末装置位置の位置の測定に基地局からの位置情報を用いるため、新たな設備を付加せずに移動通信端末装置の位置情報を取得することができる。
【００１５】
本発明の移動通信システムは、前記構成において、前記地図情報が、前記移動通信端末装置と前記基地局との間における地形に関する人工衛星からのステレオ衛星画像データから取得される構成を採る。
【００１６】
この構成によれば、前記効果に加えて、人工衛星からのステレオ衛星画像データを取得し、このステレオ衛星画像データに基づいて三次元情報であるステレオ衛星画像データを生成して地図情報として用いるから、高い遮蔽物がある場合でも正確で高精度な地図情報を得ることができる。
【００１７】
本発明の移動通信システムは、前記構成において、前記地図情報が、前記移動通信端末装置と前記基地局との間における気象情報が付加された地図情報を用いる構成を採る。
【００１８】
この構成によれば、前記効果に加えて、気象情報が付加された地図情報を用いるから、気象が変化した場合にも、電波伝搬特性推定に必要な情報を高精度に得ることができる。
【００１９】
本発明の移動通信システムは、前記構成において、前記地図情報が更新されるステレオ衛星画像データ、気象情報及び地物情報から取得される構成を採る。
【００２０】
この構成によれば、前記効果に加えて、地図情報が、更新されるステレオ衛星画像データ、気象情報及び地物情報から取得されるため、時間に応じて移動するする高い地物がある時又は気象が変化した時に、電波伝搬特性推定に必要な高精度の新しい情報を得ることができる。
【００２１】
本発明の移動通信システムは、前記構成において、前記通信制御手段が、前記電波伝搬特性推定情報に基づいて前記移動通信端末装置と前記基地局との間における通信手段の回線速度を制御する構成を採る。
【００２２】
この構成によれば、前記効果に加えて、電波伝搬特性推定情報に応じて回線速度を制御するため、誤り率特性を改善して通信品質を向上させることができる。
【００２３】
本発明の移動通信システムは、前記構成において、前記通信制御手段が、前記電波伝搬特性推定情報に基づいて前記移動通信端末装置と前記基地局との間における通信手段の誤り訂正方式を制御する構成を採る。
【００２４】
この構成によれば、前記効果に加えて、電波伝搬特性に応じて誤り訂正方式を制御するため、誤り率特性を改善して通信品質を向上させることができる。
【００２５】
本発明の移動通信システムは、前記構成において、前記通信制御手段が、前記電波伝搬特性推定情報に基づいて前記移動通信端末装置と前記基地局との間における通信手段の変復調方式を制御する構成を採る。
【００２６】
この構成によれば、前記効果に加えて、電波伝搬特性推定情報に応じて変復調方式を制御するため、誤り率特性を改善して通信品質を向上させることができる。
【００２７】
本発明の移動通信システムは、前記構成において、前記通信制御手段が、前記電波伝搬特性推定情報に基づいて前記移動通信端末装置と前記基地局との間における通信手段の送信電力の制御をする構成を採る。
【００２８】
この構成によれば、前記効果に加えて、電波伝搬特性情報に応じて送信電力を制御するため、高精度な送信電力制御を行うことができるから、通信品質を向上させることができる。
【００２９】
本発明の移動通信システムは、前記構成において、前記通信制御手段が、前記電波伝搬特性推定情報に基づいて前記移動通信端末装置と前記基地局との間における通信手段のアレーアンテナの重み付けを制御する構成を採る。
【００３０】
この構成によれば、前記効果に加えて、電波伝搬特性推定情報に基づいてアレーアンテナの重み付けの制御を行うため、誤り率特性を改善して通信品質を向上させることができる。
【００３１】
本発明の移動通信システムは、前記構成において、前記通信制御手段が、前記電波伝搬特性推定情報に基づいて前記移動通信端末装置と前記基地局との間における通信手段の遅延プロファイルの作成を制御する構成を採る。
【００３２】
この構成によれば、前記効果に加えて、電波伝搬特性推定情報に基づいて遅延プロファイル作成の制御を行うため遅延波を予測することができるから、高精度な同期を行うことができるので、誤り率特性を改善して通信品質を向上させることができる。
【００３３】
本発明の移動通信システムは、前記構成において、前記通信制御手段が、前記電波伝搬特性推定情報に基づいて前記移動通信端末装置と前記基地局との間における通信手段のレイクフィンガ数を制御する構成を採る。
【００３４】
この構成によれば、前記効果に加えて、電波伝搬特性推定情報に基づいてレイクフィンガ数の制御を行うため、遅延波数に応じた最適なフィンガ数を確保できるから、ハードウェアリソースを有効に活用できる。
【００３５】
本発明の移動通信方法は、移動通信端末装置の位置情報と前記移動通信端末装置と基地局との間の地形に関する地図情報とを用いて前記移動通信端末装置と前記基地局との間における電波伝搬特性の推定情報である電波伝搬特性推定情報を生成する電波伝搬特性推定ステップと、前記電波伝搬特性推定ステップにおいて生成された前記電波伝搬特性推定情報に基づいて前記移動通信端末装置と前記基地局との間における通信の制御を行う通信制御ステップと、を具備するようにした。
【００３６】
この方法によれば、移動通信端末装置の位置情報と地図情報を用いて高精度な電波伝搬特性の推定を行って電波伝搬特性推定情報を生成し、この電波伝搬特性推定情報に基づいて通信の制御を行うため、通信品質に大きく関わる送受信方式の各要素の制御を行うことができるから、誤り率特性を改善して通信品質を向上させることができる。
【００３７】
【発明の実施の形態】
本発明の骨子は、移動通信端末装置の位置情報と前記移動通信端末装置と基地局との間の地形に関する地図情報とを用いて前記移動通信端末装置と前記基地局との間における電波伝搬特性の推定情報である電波伝搬特性推定情報を生成し、前記電波伝搬特性推定情報に基づいて前記移動通信端末装置と前記基地局との間における通信の制御を行うことである。
【００３８】
以下、本発明の実施の形態について、図面を参照して詳細に説明する。
【００３９】
（実施の形態１）
図１は、本発明の実施の形態１に係る移動通信システムの構成を示すブロック図である。
【００４０】
本発明の実施の形態１に係る移動通信システム１００は、移動通信端末装置１０１と、この移動通信端末装置１０１との間でデータの送受を行う基地局１０２とを具備している。移動通信端末装置１０１は、移動通信端末位置情報出力部１０３を備えている。基地局１０２は、地図情報データベース部１０４、電波伝搬特性推定部１０５及び通信制御部１０６を備えている。
【００４１】
移動通信端末位置情報出力部１０３は、移動通信端末装置１０１の現在位置の情報である位置情報を電波として送信する。電波伝搬特性推定部１０５は、移動通信端末位置情報出力部１０３からの電波としての位置情報を受ける。電波伝搬特性推定部１０５は、地図情報データベース部１０４及び通信制御部１０６に接続されている。
【００４２】
電波伝搬特性推定部１０５は、移動通信端末位置情報出力部１０３からの位置情報を受けて、この位置情報に基づいて移動通信端末装置１０１と基地局１０２との間の地形に関する地図情報を地図情報データベース部１０４から取得する。地図情報データベース部１０４は、基地局１０２が通信を行う移動通信端末装置１０１が位置する範囲の地形に関する地図情報を予め記憶している。
【００４３】
電波伝搬特性推定部１０５は、移動通信端末位置情報出力部１０３からの位置情報と地図情報データベース部１０４からの地図情報とを用いて、移動通信端末装置１０１と基地局１０２との間における電波伝搬特性の推定情報である電波伝搬特性推定情報を生成する。この場合に、電波伝搬特性推定部１０５は、位置情報と地図情報を利用して電波伝搬シミュレーションにより移動通信端末装置１０１の側及び基地局１０２の側のそれぞれの電波伝搬特性推定情報を生成する。
【００４４】
通信制御部１０６は、電波伝搬特性推定部１０５により生成された電波伝搬特性推定情報に基づいて移動通信端末装置１０１と基地局１０２との間における通信の制御を行う。
【００４５】
次に、本発明の実施の形態１に係る移動通信システムの動作について、図１と共に図２を参照して説明する。図２は、本発明の実施の形態１に係る移動通信システムの動作を説明するためのフロー図である。
【００４６】
図２に示すように、ステップＳＴ２０１において、電波伝搬特性推定部１０５は、移動通信端末位置情報出力部１０３からの位置情報を取得する。次に、ステップＳＴ２０２において、電波伝搬特性推定部１０５は、移動通信端末位置情報出力部１０３からの位置情報を受けて、この位置情報に基づいて移動通信端末装置１０１と基地局１０２との間の地形に関する地図情報を地図情報データベース部１０４から取得する。
【００４７】
次に、ステップＳＴ２０３において、電波伝搬特性推定部１０５は、位置情報と地図情報とを用いて、移動通信端末装置１０１と基地局１０２との間における電波伝搬特性の推定情報である電波伝搬特性推定情報を生成する。ステップＳＴ２０４において、通信制御部１０６は、電波伝搬特性推定情報に基づいて移動通信端末装置１０１と基地局１０２との間における通信の制御を行う。
【００４８】
このように、本発明の実施の形態１によれば、移動通信端末装置位置情報と地図情報を用いて高精度な電波伝搬特性の推定を行って電波伝搬特性推定情報を生成し、この電波伝搬特性推定情報に基づいて通信の制御を行うため、通信品質に大きく関わる送受信方式の各要素の制御を行うことができるから、誤り率特性を改善して通信品質を向上させることができる。
【００４９】
（実施の形態２）
次に、本発明の実施の形態２について、図面を参照して詳細に説明する。図３は、本発明の実施の形態２に係る移動通信システムの構成を示すブロック図である。本発明の実施の形態２においては、本発明の実施の形態１と同じ構成要素には同じ参照符号が付されている。
【００５０】
図３に示すように、本発明の実施の形態２に係る移動通信システム３００は、移動通信端末装置１０１と、この移動通信端末装置１０１との間でデータの送受を行う基地局１０２とを具備している。移動通信端末装置１０１は、移動通信端末位置情報出力部１０３を備えている。基地局１０２は、地図情報データベース部１０４、電波伝搬特性推定情報データベース部３０１、電波伝搬特性推定部３０２及び通信制御部１０６を備えている。
【００５１】
電波伝搬特性推定情報データベース部３０１は、移動通信端末位置情報出力部１０３、電波伝搬特性推定部３０２及び通信制御部１０６に接続されている。電波伝搬特性推定部３０２は、地図情報データベース部１０４に接続されている。
【００５２】
電波伝搬特性推定部３０２は、地図情報データベース部１０４から得られる地図情報に基づいて多数の地点における電波伝搬特性推定情報を生成し電波伝搬特性推定情報データベース部３０１に保存しておく。
【００５３】
電波伝搬特性推定情報データベース部３０１は、移動通信端末位置情報出力部１０３から得られる移動通信端末装置１０１の位置情報に基づいて、この位置情報に対応した位置の電波伝搬特性推定情報を取り出し、この電波伝搬特性推定情報を通信制御部１０６に出力する。
【００５４】
通信制御部１０６は、電波伝搬特性推定情報データベース部３０１からの電波伝搬特性推定情報に基づいて移動通信端末装置１０１と基地局１０２との間における通信の制御を行う。
【００５５】
次に、本発明の実施の形態２に係る移動通信システムの動作について、図３と共に図４を参照して説明する。図４は、本発明の実施の形態２に係る移動通信システムの動作を説明するためのフロー図である。
【００５６】
図４に示すように、ステップＳＴ４０１において、電波伝搬特性推定情報データベース部３０１は、移動通信端末位置情報出力部１０３からの位置情報を取得する。次に、ステップＳＴ４０２において、電波伝搬特性推定情報データベース部３０１は、移動通信端末位置情報出力部１０３からの位置情報を受けて、この位置情報に対応した位置の電波伝搬特性推定情報を取り出し、この電波伝搬特性推定情報を通信制御部１０６に出力する。
【００５７】
次に、ステップＳＴ４０３において、通信制御部１０６は、電波伝搬特性推定情報データベース部３０１からの電波伝搬特性推定情報に基づいて移動通信端末装置１０１と基地局１０２との間における通信の制御を行う。
【００５８】
このように、本発明の実施の形態２によれば、本発明の実施の形態１の効果に加えて、電波伝搬特性推定部３０２が、地図情報データベース部１０４から得られる地図情報に基づいて多数の地点における電波伝搬特性推定情報を生成し電波伝搬特性推定情報データベース部３０１に保存しておくため、電波伝搬特性シミュレーションを常に行う必要がないため、処理時間を大幅に削減することが可能である。
【００５９】
（実施の形態３）
次に、本発明の実施の形態３について、図面を参照して詳細に説明する。図５は、本発明の実施の形態３に係る移動通信システムの要部の構成を示すブロック図である。本発明の実施の形態３においては、本発明の実施の形態１と同じ構成要素には同じ参照符号が付されている。
【００６０】
図５に示すように、本発明の実施の形態３に係る移動通信システム５００は、本発明の実施の形態１に係る移動通信システムにおいて、移動通信端末位置情報出力部１０３がＧＰＳを用いた位置情報取得部５０１を有するものである。移動通信端末位置情報出力部１０３は、ＧＰＳを用いた位置情報取得部５０１により移動通信端末装置１０１の位置情報を取得して電波伝搬特性推定部１０５に送信する。なお、位置情報取得部５０１は、Ｄｉｆｆｅｒｅｎｔｉａｌ−ＧＰＳを用いることによって移動通信端末装置１０１の更に精確な位置情報を取得することができる。
【００６１】
また、本発明の実施の形態３は、本発明の実施の形態２に適用することができる。
【００６２】
このように、本発明の実施の形態３によれば、本発明の実施の形態１又は２の効果に加えて、移動通信端末装置１０１の正確な位置情報を取得することができる。
【００６３】
（実施の形態４）
次に、本発明の実施の形態４について、図面を参照して詳細に説明する。図６は、本発明の実施の形態４に係る移動通信システムの要部の構成を示すブロック図である。本発明の実施の形態４においては、本発明の実施の形態１と同じ構成要素には同じ参照符号が付されている。
【００６４】
図６に示すように、本発明の実施の形態４に係る移動通信システム６００は、本発明の実施の形態１に係る移動通信システムにおいて、移動通信端末位置情報出力部１０３が３以上の基地局１０２からの位置情報を用いた位置情報取得部６０１を備えている。
【００６５】
位置情報取得部６０１は、３以上の基地局からの位置情報を用いて、移動通信端末装置１０１の位置を測定し移動通信端末装置１０１の位置情報を生成して電波伝搬特性推定部１０５に送信する。なお、位置情報取得部６０１は、ＰＨＳと同等の位置情報取得手段で構成してもよい。
【００６６】
また、本発明の実施の形態４は、本発明の実施の形態２又は３に適用することができる。
【００６７】
このように、本発明の実施の形態４によれば、本発明の実施の形態１から３までのいずれか１つの効果に加えて、移動通信端末装置位置１０１の位置の測定に基地局からの位置情報を用いるため、新たな設備を付加せずに移動通信端末装置の位置情報を取得することができる。
【００６８】
（実施の形態５）
次に、本発明の実施の形態５について、図面を参照して詳細に説明する。図７は、本発明の実施の形態５に係る移動通信システムの要部の構成を示すブロック図である。本発明の実施の形態５においては、本発明の実施の形態１と同じ構成要素には同じ参照符号が付されている。
【００６９】
図７に示すように、本発明の実施の形態５に係る移動通信システム７００は、本発明の実施の形態１に係る移動通信システムにおいて、地図情報データベース部１０４が、ステレオ衛星画像データ取得部７０１及び地図情報メモリ部７０２を備えている。地図情報メモリ部７０２は、ステレオ衛星画像データ取得部７０１及び電波伝搬特性推定部１０５に接続されている。
【００７０】
ステレオ衛星画像データ取得部７０１は、移動通信端末装置１０１と基地局１０２との間における地形に関する人工衛星からのステレオ衛星画像データを取得し、このステレオ衛星画像データに基づいて三次元情報であるステレオ衛星画像データを生成して地図情報メモリ部７０２に地図情報として蓄積し、この地図情報を必要に応じて電波伝搬特性推定部１０５に与える。
【００７１】
なお、本発明の実施の形態５は、本発明の実施の形態２から４のいずれか１つに適用することができる。
【００７２】
このように、本発明の実施の形態５によれば、本発明の実施の形態１から４のいずれか１つの効果に加えて、人工衛星からのステレオ衛星画像データを取得し、このステレオ衛星画像データに基づいて三次元情報であるステレオ衛星画像データを生成して地図情報メモリ部７０２に地図情報として蓄積し、必要に応じて地図情報として用いるから、高い遮蔽物がある場合でも正確で高精度な地図情報を得ることができる。
【００７３】
（実施の形態６）
次に、本発明の実施の形態６について、図面を参照して詳細に説明する。図８は、本発明の実施の形態６に係る移動通信システムの要部の構成を示すブロック図である。本発明の実施の形態６においては、本発明の実施の形態１と同じ構成要素には同じ参照符号が付されている。
【００７４】
図８に示すように、本発明の実施の形態６に係る移動通信システム８００は、本発明の実施の形態１に係る移動通信システムにおいて、地図情報データベース部１０４が、気象情報取得部８０１及び地図情報メモリ部８０２を備えている。地図情報メモリ部８０２は、気象情報取得部８０１及び電波伝搬特性推定部１０５に接続されている。
【００７５】
気象情報取得部８０１は、移動通信端末装置１０１と基地局１０２との間における地形に関する気象情報を取得し、この気象情報を地図情報メモリ部８０２に蓄積する。地図情報メモリ部８０２は、基地局１０２が通信を行う移動通信端末装置１０１が位置する範囲の地形に関する地図情報を予め記憶している。地図情報メモリ部８０２は、予め記憶している地図情報と気象情報取得部８０１からの気象情報とを組み合わせて新たな地図情報として記憶し、この地図情報の必要に応じて電波伝搬特性推定部１０５に与える。
【００７６】
なお、本発明の実施の形態６は、本発明の実施の形態２から４のいずれか１つに適用することができる。
【００７７】
このように、本発明の実施の形態６によれば、本発明の実施の形態１から４のいずれか１つの効果に加えて、地図情報メモリ部８０２が、予め記憶している地図情報と気象情報取得部８０１からの気象情報とを組み合わせて新たな地図情報として記憶し、この地図情報を用いるから、気象が変化した場合にも、電波伝搬特性推定に必要な情報を高精度に得ることができる。
【００７８】
（実施の形態７）
次に、本発明の実施の形態７について、図面を参照して詳細に説明する。図９は、本発明の実施の形態７に係る移動通信システムの要部の構成を示すブロック図である。本発明の実施の形態７においては、本発明の実施の形態１と同じ構成要素には同じ参照符号が付されている。
【００７９】
図９に示すように、本発明の実施の形態７に係る移動通信システム９００は、本発明の実施の形態１に係る移動通信システムにおいて、地図情報データベース部１０４が、更新周期設定部９０１、地物情報取得部９０２、ステレオ衛星画像データ取得部７０１、気象情報取得部８０１及び地図情報メモリ部９０３を備えている。地図情報メモリ部９０３は、更新周期設定部９０１、地物情報取得部９０２、ステレオ衛星画像データ取得部７０１及び気象情報取得部８０１に接続されている。また、地図情報メモリ部９０３は、電波伝搬特性推定部１０５に接続されている。
【００８０】
地物情報取得部９０２は、基地局１０２が通信を行う移動通信端末装置１０１が位置する範囲の地上に存在する地物の情報を取得して地物情報を生成して地図情報メモリ部９０３に与える。ステレオ衛星画像データ取得部７０１及び気象情報取得部８０１は、前記のものと同じである。
【００８１】
地図情報メモリ部９０３は、ステレオ衛星画像データ取得部７０１、気象情報取得部８０１及び地物情報取得部９０２からのステレオ衛星画像データ、気象情報及び地物情報を受けて、これらを組み合わせて地図情報を生成して記憶する。
【００８２】
更新周期設定部９０１は、地図情報メモリ部９０２が記憶している地図情報を更新する周期を設定するためのものであり、所定の更新周期ごとに更新信号を地図情報メモリ部９０２に与える。地図情報メモリ部９０２は、更新周期設定部９０１から更新信号を受けた時に、ステレオ衛星画像データ取得部７０１、気象情報取得部８０１及び地物情報取得部９０２からの新しいステレオ衛星画像データ、気象情報及び地物情報を取得し、これらを組み合わせて地図情報を生成して上書きする。地図情報メモリ部９０３は、記憶している地図情報を必要時に電波伝搬特性推定部１０５に与える。
【００８３】
なお、本発明の実施の形態７は、本発明の実施の形態２から４のいずれか１つに適用することができる。
【００８４】
このように、本発明の実施の形態７によれば、本発明の実施の形態１から４のいずれか１つの効果に加えて、地図情報メモリ部９０３が、ステレオ衛星画像データ取得部７０１、気象情報取得部８０１及び地物情報取得部９０２からのステレオ衛星画像データ、気象情報及び地物情報を受けて、これらを組み合わせて地図情報を生成して記憶し、かつ、記憶した情報を所定の更新周期ごとに更新するため、時間に応じて移動する高い地物がある時又は気象が変化した時に、電波伝搬特性推定に必要な高精度の新しい情報を得ることができる。
【００８５】
（実施の形態８）
次に、本発明の実施の形態８について、図面を参照して詳細に説明する。図１０は、本発明の実施の形態８に係る移動通信システムの要部の構成を示すブロック図である。本発明の実施の形態８においては、本発明の実施の形態１と同じ構成要素には同じ参照符号が付されている。
【００８６】
図１０に示すように、本発明の実施の形態８に係る移動通信システム１０００は、本発明の実施の形態１に係る移動通信システムにおいて、通信制御部１０６が、回線速度制御部１００１を備えている。
【００８７】
回線速度制御部１００１は、電波伝搬特性推定部１０５に接続されている。回線速度制御部１００１は、電波伝搬特性推定部１０５から電波伝搬特性推定情報を受けて、この電波伝搬特性推定情報に基づいて移動通信端末装置１０１と基地局１０２との間における通信手段の回線速度の制御を行う。
【００８８】
なお、本発明の実施の形態８は、本発明の実施の形態２から７のいずれか１つに適用することができる。
【００８９】
このように、本発明の実施の形態８によれば、本発明の実施の形態１から７のいずれか１つの効果に加えて、電波伝搬特性推定情報に応じて回線速度を制御するため、誤り率特性を改善して通信品質を向上させることができる。
【００９０】
（実施の形態９）
次に、本発明の実施の形態９について、図面を参照して詳細に説明する。図１１は、本発明の実施の形態９に係る移動通信システムの要部の構成を示すブロック図である。本発明の実施の形態９においては、本発明の実施の形態１と同じ構成要素には同じ参照符号が付されている。
【００９１】
図１１に示すように、本発明の実施の形態９に係る移動通信システム１１００は、本発明の実施の形態１に係る移動通信システムにおいて、通信制御部１０６が、誤り訂正方式制御部１１０１を備えている。
【００９２】
誤り訂正方式制御部１１０１は、電波伝搬特性推定部１０５に接続されている。誤り訂正方式制御部１１０１は、電波伝搬特性推定部１０５から電波伝搬特性推定情報を受けて、この電波伝搬特性推定情報に基づいて移動通信端末装置１０１と基地局１０２との間における通信手段の誤り訂正方式の制御を行う。
【００９３】
なお、本発明の実施の形態９は、本発明の実施の形態２から７のいずれか１つに適用することができる。
【００９４】
このように、本発明の実施の形態９によれば、本発明の実施の形態１から７のいずれか１つの効果に加えて、電波伝搬特性に応じて誤り訂正方式を制御するため、誤り率特性を改善して通信品質を向上させることができる。
【００９５】
（実施の形態１０）
次に、本発明の実施の形態１０について、図面を参照して詳細に説明する。図１２は、本発明の実施の形態１０に係る移動通信システムの要部の構成を示すブロック図である。本発明の実施の形態１０においては、本発明の実施の形態１と同じ構成要素には同じ参照符号が付されている。
【００９６】
図１２に示すように、本発明の実施の形態１０に係る移動通信システム１２００は、本発明の実施の形態１に係る移動通信システムにおいて、通信制御部１０６が、変復調方式制御部１２０１を備えている。
【００９７】
変復調方式制御部１２０１は、電波伝搬特性推定部１０５に接続されている。変復調方式制御部１２０１は、電波伝搬特性推定部１０５から電波伝搬特性推定情報を受けて、この電波伝搬特性推定情報に基づいて移動通信端末装置１０１と基地局１０２との間における通信手段の変復調方式の制御を行う。
【００９８】
なお、本発明の実施の形態１０は、本発明の実施の形態２から７のいずれか１つに適用することができる。
【００９９】
このように、本発明の実施の形態１０によれば、本発明の実施の形態１から７のいずれか１つの効果に加えて、電波伝搬特性推定情報に応じて変復調方式を制御するため、誤り率特性を改善して通信品質を向上させることができる。
【０１００】
（実施の形態１１）
次に、本発明の実施の形態１１について、図面を参照して詳細に説明する。図１３は、本発明の実施の形態１１に係る移動通信システムの要部の構成を示すブロック図である。本発明の実施の形態１１においては、本発明の実施の形態１と同じ構成要素には同じ参照符号が付されている。
【０１０１】
図１３に示すように、本発明の実施の形態１１に係る移動通信システム１３００は、本発明の実施の形態１に係る移動通信システムにおいて、通信制御部１０６が、送信電力制御部１３０１を備えている。
【０１０２】
送信電力制御部１３０１は、電波伝搬特性推定部１０５に接続されている。送信電力制御部１３０１は、電波伝搬特性推定部１０５から電波伝搬特性推定情報を受けて、この電波伝搬特性推定情報に基づいて移動通信端末装置１０１と基地局１０２との間における通信手段の送信電力の制御を行う。
【０１０３】
なお、本発明の実施の形態１１は、本発明の実施の形態２から７のいずれか１つに適用することができる。
【０１０４】
このように、本発明の実施の形態１１によれば、本発明の実施の形態１から７のいずれか１つの効果に加えて、電波伝搬特性情報に応じて送信電力を制御するため、高精度な送信電力制御を行うことができるから、通信品質を向上させることができる。
【０１０５】
（実施の形態１２）
次に、本発明の実施の形態１２について、図面を参照して詳細に説明する。図１４は、本発明の実施の形態１２に係る移動通信システムの要部の構成を示すブロック図である。本発明の実施の形態１２においては、本発明の実施の形態１と同じ構成要素には同じ参照符号が付されている。
【０１０６】
図１４に示すように、本発明の実施の形態１２に係る移動通信システム１４００は、本発明の実施の形態１に係る移動通信システムにおいて、通信制御部１０６が、アレーアンテナ制御部１４０１を備えている。
【０１０７】
アレーアンテナ制御部１４０１は、電波伝搬特性推定部１０５に接続されている。アレーアンテナ制御部１４０１は、電波伝搬特性推定部１０５から電波伝搬特性推定情報を受けて、この電波伝搬特性推定情報に基づいて移動通信端末装置１０１と基地局１０２との間における通信手段のアレーアンテナの重み付けの制御を行う。
【０１０８】
なお、本発明の実施の形態１２は、本発明の実施の形態２から７のいずれか１つに適用することができる。
【０１０９】
このように、本発明の実施の形態１２によれば、本発明の実施の形態１から７のいずれか１つの効果に加えて、電波伝搬特性推定情報に基づいてアレーアンテナの重み付けの制御を行うため、誤り率特性を改善して通信品質を向上させることができる。
【０１１０】
（実施の形態１３）
次に、本発明の実施の形態１３について、図面を参照して詳細に説明する。図１５は、本発明の実施の形態１３に係る移動通信システムの要部の構成を示すブロック図である。本発明の実施の形態１３においては、本発明の実施の形態１と同じ構成要素には同じ参照符号が付されている。
【０１１１】
図１５に示すように、本発明の実施の形態１３に係る移動通信システム１５００は、本発明の実施の形態１に係る移動通信システムにおいて、通信制御部１０６が、遅延プロファイル作成制御部１５０１を備えている。
【０１１２】
遅延プロファイル作成制御部１５０１は、電波伝搬特性推定部１０５に接続されている。遅延プロファイル作成制御部１５０１は、電波伝搬特性推定部１０５からの電波伝搬特性推定情報を受けて、この電波伝搬特性推定情報に基づいて移動通信端末装置１０１と基地局１０２との間における通信手段のＣＤＭＡ信号の同期回路に用いられる遅延プロファイルの作成の制御を行う。
【０１１３】
なお、本発明の実施の形態１３は、本発明の実施の形態２から７のいずれか１つに適用することができる。
【０１１４】
このように、本発明の実施の形態１３によれば、本発明の実施の形態１から７のいずれか１つの効果に加えて、電波伝搬特性推定情報に基づいて遅延プロファイル作成の制御を行うため遅延波を予測することができるから、高精度な同期を行うことができるので、誤り率特性を改善して通信品質を向上させることができる。
【０１１５】
（実施の形態１４）
次に、本発明の実施の形態１４について、図面を参照して詳細に説明する。図１６は、本発明の実施の形態１４に係る移動通信システムの要部の構成を示すブロック図である。本発明の実施の形態１４においては、本発明の実施の形態１と同じ構成要素には同じ参照符号が付されている。
【０１１６】
図１６に示すように、本発明の実施の形態１４に係る移動通信システム１６００は、本発明の実施の形態１に係る移動通信システムにおいて、通信制御部１０６が、レイク（Ｒａｋｅ）フィンガ数制御部１６０１を備えている。
【０１１７】
レイクフィンガ数制御部１６０１は、電波伝搬特性推定部１０５に接続されている。レイクフィンガ数制御部１６０１は、電波伝搬特性推定部１０５からの電波伝搬特性推定情報を受けて、この電波伝搬特性推定情報に基づいて移動通信端末装置１０１と基地局１０２との間における通信手段のＣＤＭＡ信号の復調回路に用いられるレイクフィンガ数の制御を行う。
【０１１８】
なお、本発明の実施の形態１４は、本発明の実施の形態２から７のいずれか１つに適用することができる。
【０１１９】
このように、本発明の実施の形態１４によれば、本発明の実施の形態１から７のいずれか１つの効果に加えて、電波伝搬特性推定情報に基づいてレイクフィンガ数の制御を行うため、遅延波数に応じた最適なフィンガ数を確保できるから、ハードウェアリソースを有効に活用できる。
【０１２０】
【発明の効果】
以上説明したように、本発明によれば、移動通信端末装置の位置情報と地図情報を用いて高精度な電波伝搬特性の推定を行って電波伝搬特性推定情報を生成し、この電波伝搬特性推定情報に基づいて通信の制御を行うため、通信品質に大きく関わる送受信方式の各要素の制御を行うことができるから、誤り率特性を改善して通信品質を向上させることができる。
【図面の簡単な説明】
【図１】本発明の実施の形態１に係る移動通信システムの構成を示すブロック図
【図２】本発明の実施の形態１に係る移動通信システムの動作を説明するためのフロー図
【図３】本発明の実施の形態２に係る移動通信システムの構成を示すブロック図
【図４】本発明の実施の形態２に係る移動通信システムの動作を説明するためのフロー図
【図５】本発明の実施の形態３に係る移動通信システムの要部の構成を示すブロック図
【図６】本発明の実施の形態４に係る移動通信システムの要部の構成を示すブロック図
【図７】本発明の実施の形態５に係る移動通信システムの要部の構成を示すブロック図
【図８】本発明の実施の形態６に係る移動通信システムの要部の構成を示すブロック図
【図９】本発明の実施の形態７に係る移動通信システムの要部の構成を示すブロック図
【図１０】本発明の実施の形態８に係る移動通信システムの要部の構成を示すブロック図
【図１１】本発明の実施の形態９に係る移動通信システムの要部の構成を示すブロック図
【図１２】本発明の実施の形態１０に係る移動通信システムの要部の構成を示すブロック図
【図１３】本発明の実施の形態１１に係る移動通信システムの要部の構成を示すブロック図
【図１４】本発明の実施の形態１２に係る移動通信システムの要部の構成を示すブロック図
【図１５】本発明の実施の形態１３に係る移動通信システムの要部の構成を示すブロック図
【図１６】本発明の実施の形態１４に係る移動通信システムの要部の構成を示すブロック図
【図１７】従来の移動通信システムの構成を示すブロック図
【符号の説明】
１００、３００、５００、６００、７００、８００、９００、１０００、１１００、１２００、１３００、１４００、１５００、１６００　移動通信システム
１０１　移動通信端末装置
１０２　基地局
１０３　移動通信端末位置情報出力部
１０４　地図情報データベース部
１０５　電波伝搬特性推定部
１０６　通信制御部
３０１　電波伝搬特性推定情報データベース部
３０２　電波伝搬特性推定部
５０１、６０１　位置情報取得部
７０１　ステレオ衛星画像データ取得部
７０２、８０２、９０３　地図情報メモリ部
８０１　気象情報取得部
９０１　更新周期設定部
９０２　地物情報取得部
１００１　回線速度制御部
１１０１　誤り訂正方式制御部
１２０１　変復調方式制御部
１３０１　送信電力制御部
１４０１　アレーアンテナ制御部
１５０１　遅延プロファイル作成制御部
１６０１　レイクフィンガ数制御部
【図１】
2004015337.tif 000003
【図２】
2004015337.tif 000004
【図３】
2004015337.tif 000005
【図４】
2004015337.tif 000006
【図５】
2004015337.tif 000007
【図６】
2004015337.tif 000008
【図７】
2004015337.tif 000009
【図８】
2004015337.tif 000010
【図９】
2004015337.tif 000011
【図１０】
2004015337.tif 000012
【図１１】
2004015337.tif 000013
【図１２】
2004015337.tif 000014
【図１３】
2004015337.tif 000015
【図１４】
2004015337.tif 000016
【図１５】
2004015337.tif 000017
【図１６】
2004015337.tif 000018
【図１７】
2004015337.tif 000019